(57)【要約】
【課題】　洩油バルブ使用時の車体を持ち上げてオイル交換する作業の不便さを改善するため、一種の洩油バルブ制御器を提出し、洩油作業をさらに簡単便利にすること。
【解決手段】　制御器と洩油バルブが結合している洩油バルブ制御器であって，
　基座とそれに枢接した制御部材とからなり，
　当該基座の上端は油槽の排出口において結合し、その基座の内部には油槽の排出口と通じる中空室があり、さらにこの中空室と相通ずる導口、及びこの制御部材を容置する結合孔を有し，
　当該制御部材は当該制御部材が回転するとき当該導口と相通じ、油槽内の油を洩出させる出口を有し、さらに導引部材及び伝動部材を有し，
　当該導引部材の一端は当該基座と結合子し、当該伝動部材の一端は当該導引部材を突き抜け当該制御部材と結合することからなる。
【選択図】　図3a
0003099917.tif 000002
【実用新案登録請求の範囲】
【請求項１】
　制御器と洩油バルブが結合している洩油バルブ制御器であって，
　基座とそれに枢接した制御部材とからなり，
　当該基座の上端は油槽の排出口において結合し、その基座の内部には油槽の排出口と通じる中空室があり、さらにこの中空室と相通ずる導口、及びこの制御部材を容置する結合孔を有し，
　当該制御部材は当該制御部材が回転するとき当該導口と相通じ、油槽内の油を洩出させる出口を有し、さらに導引部材及び伝動部材を有し，
　当該導引部材の一端は当該基座と結合子し、当該伝動部材の一端は当該導引部材を突き抜け当該制御部材と結合すること，
からなることを特徴とする洩油バルブ制御器。
【請求項２】
　請求項１記載の洩油バルブ制御器であって、前記基座の側壁には孔及びこの孔と連通した導槽があり、又前記導引部材は当該孔と相通ずる貫穿孔を有し、又前記伝動部材はひとつの前段と結合する長条体を有し、当該長条体の尾端は導槽を突きぬけること，からなることを特徴とする洩油バルブ制御器。
【請求項３】
　請求項２記載の洩油バルブ制御器であって、前記制御部材は前記長条体の尾端と結合する固定槽を有することを特徴とする洩油バルブ制御器。
【請求項４】
　請求項２記載の洩油バルブ制御器であって、前記長条体は、長片体であり、又前記制御部材は当該長片体の長条体の尾端と噛み合う歯環を周辺に有することを特徴とする洩油バルブ制御器。
【請求項５】
　請求項３記載の洩油バルブ制御器であって、前記長条体は、長片体であり、その尾端に孔があり、リベットが当該孔を貫き前記制御部材の固定槽で固定されることを特徴とする洩油バルブ制御器。
【請求項６】
　請求項３記載の洩油バルブ制御器であって、前記制御部材は結合槽を有し、又前記長条体は長線体であり、その尾端は当該結合槽内で嵌接する結合塊を有することを特徴とする洩油バルブ制御器。
【請求項７】
　請求項１から６のいずれかに記載の洩油バルブ制御器であって、前記基座はその側壁の当該孔内に内螺紋を有し、又前記導引部材はその一端に当該内螺紋を螺接する外螺紋を有することを特徴とする洩油バルブ制御器。
【請求項８】
　請求項７記載の洩油バルブ制御器であって、前記導引部材の他の一端の管内に肋環を有し、又前記伝動部材の前段には一対の弾片を有し、さらに、当該弾片の中段に扣合段を有することを特徴とする洩油バルブ制御器。
【請求項９】
　請求項７記載の洩油バルブ制御器であって、前記導引部材の他の端の管壁は開口のところで内向きに延び一対の対称の導槽となり、かつこの導槽は位置固定手段を有し、又前記伝動部材はその前段に一対の凸ほぞを有することを特徴とする洩油バルブ制御器。
【考案の詳細な説明】
【技術分野】
【０００１】
　本考案は、油槽下端の洩油バルブ制御器、特に洩油バルブの遠隔制御をするものに関する。
【背景技術】
【０００２】
　一般の自動車やバイクのエンジン内のオイルは一定時間ごとに交換する必要がり、それによりエンジンの摩耗や順調な動作を維持する。現在、ネジでスペーサーを利用してオイルの洩油口を止め、オイルを交換するときは、工具を使ってネジとスペーサーをゆるめ、オイル交換作業を進める。オイル交換が終わったら、スペーサーを交換し、ネジで再び洩油口をしめる。ネジを何度か締めたりゆるめたりすると、次第にゆるみが生じ、洩油口をしっかりとめることができなくなり、漏油現象が生じて、ネジを交換することになる。現在の洩オイル作業には工具や経費、時間、スペーサーが必要で、さらに漏油等の損失もある。
【０００３】
　現在の洩オイル作業には工具や経費、時間、スペーサーが必要で、さらに漏油等の損失もある。本考案者はすでに台湾専利公告第465705号にて「洩油バルブ」を考案し、従来のネジを使った洩油口の構造から発生する複数の欠点を大きく改善している。ただし、この洩油バルブは自動車のエンジンの下方にあり、車体を支えて洩油バルブ下方の制御部材を操作しなくてはならず、オイル交換作業に於いて、不便なところがある。
【考案の開示】
【考案が解決しようとする課題】
【０００４】
　そこで本考案は、洩油バルブ使用時の車体を持ち上げてオイル交換する作業の不便さを改善するため、一種の洩油バルブ制御器を提出し、洩油作業をさらに簡単便利にすることを目的とする。
【課題を解決するための手段】
【０００５】
　一制御器を洩油バルブと結合する。この洩油バルブは一基座と枢接する一制御部材を含み、この制御器は一導引部材および一伝動部材を含み、この導引部材の一端は基座と結合し、この伝導部材は導引部材を貫き、その一端は制御部材と結合し、使用者は洩油バルブの開閉を遠隔操作できる。
　又、前記基座の側壁には孔及びこの孔と連通した導槽があり、又前記導引部材は当該孔と相通ずる貫穿孔を有し、又前記伝動部材はひとつの前段と結合する長条体を有し、当該長条体の尾端は導槽を突きぬけること，からなることが好適である。
　又、前記制御部材は前記長条体の尾端と結合する固定槽を有することが好適である。
　又、、前記長条体は、長片体であり、又前記制御部材は当該長片体の長条体の尾端と噛み合う歯環を周辺に有することが好適である。
　又、前記長条体は、長片体であり、その尾端に孔があり、リベットが当該孔を貫き前記制御部材の固定槽で固定されることが好適である。
　又、前記制御部材は結合槽を有し、又前記長条体は長線体であり、その尾端は当該結合槽内で嵌接する結合塊を有することが好適である。
　又、前記基座はその側壁の当該孔内に内螺紋を有し、又前記導引部材はその一端に当該内螺紋を螺接する外螺紋を有することが好適である。
　又、前記導引部材の他の一端の管内に肋環を有し、又前記伝動部材の前段には一対の弾片を有し、さらに、当該弾片の中段に扣合段を有することが好適である。
　さらに、前記導引部材の他の端の管壁は開口のところで内向きに延び一対の対称の導槽となり、かつこの導槽は位置固定手段を有し、又前記伝動部材はその前段に一対の凸ほぞを有することが好適である。
【考案の効果】
【０００６】
　使用者が本考案の伝動部材の一端を押し引きし、制御部材を回転させ、洩油バルブの開閉を行う場合、その他の工具が無くても遠隔操作で洩油バルブを開閉でき、洩油作業を進めることができ、洩油作業がさらに簡単便利になるものである。
【考案を実施するための最良の形態】
【０００７】
　図1a、1bに示すように、本考案の洩油バルブの一実施例は、一基座１と一制御部材２とで構成され、基座１の上端には螺管１１があり、油槽の排出口の内側で螺接する。その内部の中空室１２と螺管１１は内部で相通じ、その底部には導口１２１があり、その側壁１３には結合孔１４がある。この結合孔１４の外側には大孔部１４１があり、大孔部１４１と相通ずる一段の導槽１４２がある。制御部材２は一桿状態で中空室１２と対応し、貫穿孔を開設し、出口２１となっている。その前端にはこの大孔部１４１と一致する大径部２２がある。この大径部２２側辺に一段の固定槽２２１がある。本実施例では制御部材２が基座１の結合孔１４の中空室１２内に入り、導口１２１と出口２１は相導き、通じたとき、油槽内の油は導口１２１から排出される。図２で示すように、この基座１の側壁１３は導槽１４２の孔１４３と連通し、この孔１４３内にはネジ山がある。制御部材２が一定角度に回転し、導口１２１と出口２１が互いに通じないとき、導口１２１は制御部材２の外壁を閉じ、油は導口１２１から排出しない。
【０００８】
　図２に示すように、本考案の制御器は、一導引部材３０および一伝動部材３１を含む。この導引部材３０は湾曲するが圧縮できない長管体、たとえば自転車やオートバイのブレーキ伝動線の管体であり、その内側には貫穿孔があり、その一端には結合部３０１があり、他の一端には固定部３０２がある。本実施例中のこの結合部３０１にはネジ山があり、図２で示す基座１の側壁１３の孔１４３内でネジ止めされる。この固定部３０２の管内には肋環３０３がある。この伝動部材３１は一前段３１０と結合した長条体がある。この長条体は湾曲できるが圧縮することのできない材料、たとえば鋼鉄材料で作られる。一長辺体３１１とその尾端には一孔３１２があり、一長線体３１３とその尾端には一結合塊３１４がある。一長辺体３１５の尾端には歯排３１６がある。その前段３１０には本実施例中、一対の弾片３１７がある。この弾片３１７の中段には扣合段３１８がある。該弾片３１７の前端を圧したとき、両扣合段３１８の距離が縮小し、扣合段３１８は導引部材３０の肋環３０３を貫く。この弾片３１７の前端を解放すると、この両扣合段３１８の距離が拡張し、肋環３０３内側でとまる。
【０００９】
　図3a、3bに示すように、本考案の組み立て時、伝動部材３１の長条体は導引部材３０を貫く。前段３１０は導引部材３０の外側にある。この導引部材３０の結合部材３０１は基座１の側壁１３上で結合する。この伝動部材３１の長片体３１１は側壁１３の導槽１４２を貫き、さらに、制御部材２の固定槽内（図4b参照）にあり、又その尾端ではリベット２４２がささり、制御部材２の固定槽内で固定する。本考案では導引部材３０の固定部３０２は、ある一定位置で固定され、伝動部材３１を引き出すとき、制御部材２も一角度に回転でき、制御バルブを開ける。伝動部材３１を押すとき、その前端が導引部材３０内に入り、制御部材２は逆方向の一角度に回転し、制御バルブを閉める。
【００１０】
　図4a、4bに示すように、本考案の他の一実施例では、長線体３１３は制御部材２の固定槽内に套接している。さらに、結合塊３１４が制御部材２の結合槽内で嵌接し、長線体３１３の尾端は制御部材２で固定され、伝動部材３１を利用し、制御部材を遠隔操作させ、洩油バルブの開閉を制御する。
【００１１】
　図５に示すように、本考案の他の実施例では、制御部材４の部分周辺に歯環４１を配置する。長片体３１５の尾端の歯排３１６と制御部材４の歯環４１とをかみ合わせ、制御部材４を回転させ、洩油バルブの開閉を制御する。
【００１２】
　図6a、6bに示すように、本考案の洩油バルブの一実施例は、一基座５と一制御部材６とを含む。この基座５の上端には螺管５１があり、油槽の排出口内側で螺接し、その内部には中空室５２があり、螺管５１内部で相通じ、その側壁５３には導口５４がある。その底端面には結合口５５があり、結合口５５の上方の側壁内側には一小段導槽５６がある。制御部材６には筒状部６１および比較的大きな底蓋６２がある。筒状部６１の筒壁上には出口６３があり、底蓋６２の底部外側には一段の固定槽６４がある。本実施例では制御部材６の筒状部６１に沿い基座５の底端面の結合口５５は中空室５２内に入る。導口５４と出口６３が互いに導通し、油槽内の油はすぐに導口５４から排出される。制御部６が一角度に回転し、。導口５４と出口６３が互いに導通しないとき、導口５４は筒状部６１の外壁で閉じられ、油は導口５４から排出されない。
【００１３】
　図７に示すように、本考案の図6a、6bで示す洩油バルブの基座５の下外方には導槽５６と相通ずる孔５７がある。孔５７にはネジ山があり、導引部材３０の結合部の外ネジ山にあう。伝動部材３１の尾端は制御部材６の固定槽６４内に結合し、その結合構造は図8a、8bで示す。長片体３１１あるいは長線体３１３の尾端を制御部材６の固定槽内に固定する。遠隔的に伝動部材３１を押し引きし制御部材６が回転するとき、洩油バルブ的な開閉が行われる。
【００１４】
　図９に示すように、本考案の導引部材７０の他の一実施例の固定部７０１で、管壁は開口所内に延びてそこに一体の対照的導槽７０２がある。この導槽７０２には一固定段７０３がある。この伝動部材７１の前段７１１には本実施例中では一対の凸ほぞ７１２がある。この一対の凸ほぞ７１２の距離は導引部材７０の管内径より大きい。凸ほぞ７１２が導槽７０２にそって移動し、一角度に移動すると、固定段７０３で容置され、伝動部材７１の前段７１１が導引部材７０で固定する。凸ほぞ７１２が導槽７０２から離れると伝動部材７１が抜かれる。
【図面の簡単な説明】
【００１５】
【図１ａ】本考案の洩油バルブ実施例の分解図である。
【図１ｂ】本考案の洩油バルブ実施例の側面図である。
【図２】本考案の制御器の実施例の分解図である。
【図３ａ】本考案の洩油バルブと制御器の結合を示す実施例の側面図である。
【図３ｂ】本考案の伝動部材と制御器の結合を示す図である。
【図４ａ】本考案の洩油バルブと制御器の結合を示す他の実施例の側面図である。
【図４ｂ】本考案の伝動部材と制御器の結合を示す他の実施例の図である。
【図５】本考案の洩油バルブと制御器との結合を示す、さらに他の実施例の側面図である。
【図６ａ】本考案の洩油バルブの他の実施例の分解図である。
【図６ｂ】本考案の洩油バルブの他の実施例の主要部材の平面図である。
【図７】本考案の洩油バルブと制御器との結合を示す、さらに他の実施例の側面図である。
【図８ａ】本考案の伝動部材と制御器との結合を示す、さらに他の実施例の図である。
【図８ｂ】本考案の伝動部材と制御器との結合を示す、さらに他の実施例の図である。
【図９】本考案の制御器の他の実施例の分解図である。
【符号の説明】
【００１６】
　１　　　基座
　１３　　側壁
　１４２　導槽
　２　　　制御部材
　３０　　導引部材
　３０１　結合部
　３０２　固定部
　３１　　伝動部材
　３１０　前段
　３１１　長片体
【図１ａ】
0003099917.tif 000003
【図１ｂ】
0003099917.tif 000004
【図２】
0003099917.tif 000005
【図３ａ】
0003099917.tif 000006
【図３ｂ】
0003099917.tif 000007
【図４ａ】
0003099917.tif 000008
【図４ｂ】
0003099917.tif 000009
【図５】
0003099917.tif 000010
【図６ａ】
0003099917.tif 000011
【図６ｂ】
0003099917.tif 000012
【図７】
0003099917.tif 000013
【図８ａ】
0003099917.tif 000014
【図８ｂ】
0003099917.tif 000015
【図９】
0003099917.tif 000016